【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
生分解性の脂肪族−芳香族コポリエステルを含むコポリエステル組成物であって、
前記脂肪族−芳香族コポリエステルは、
（ａ）エチレングリコール基、１，２−プロピレングリコール基、１，３−プロピレングリコール基、１，２−ブタンジオール基、２，３−ブタンジオール基、１，４−ブタンジオール基、テトラメチルシクロブタンジオール、イソソルビド基、１，３−シクロヘキサンジメタノール基、１，４−シクロヘキサンジメタノール基、ヘキシレングリコール基、生物系ジオール基、およびこれらの組み合わせより選ばれる二価アルコール基と、
（ｂ）ポリ（エチレンテレフタレート）、ポリ（ブチレンテレフタレート）、ポリ（トリメチレンテレフタレート）、およびこれらの組み合わせより選ばれる、解重合した芳香族ポリエステル成分から誘導した芳香族ジカルボン酸基と、
（ｃ）少なくとも３個の−ＯＨ基を持つＣ５−１２化合物、およびこれらの組み合わせより選ばれる減色化合物と、
（ｄ）アジピン酸基と、
（ｅ）イソフタル酸基、アンチモン含有化合物、ゲルマニウム含有化合物、コバルト含有化合物、スズ、スズ含有化合物、チタン、アルミニウム、アルミニウム塩、アルカリ塩、アルカリ土類金属塩、リン含有化合物、硫黄含有化合物、ナフタレンジカルボン酸基、エポキシ類、およびこれらの組み合わせより選ばれる芳香族ポリエステル残基と、
（ｆ）チタン含有触媒と、
を含み、
前記脂肪族−芳香族コポリエステルは、少なくとも２万ドルトンの数平均分子量と２から６未満の多分散度を持ち、
前記コポリエステル組成物は、溶融した前記コポリエステルに、前記減色化合物を添加するステップを含む方法により作製され、色度計を用いたＤ６５照明での測定で、少なくともＬ＊＝７０．０；ａ＊＝−８．０；ｂ＊＝１５．０の白色度を持つ、
ことを特徴とする、コポリエステル組成物。
【請求項２】
前記二価アルコール基は、１，４−ブタンジオール基、１，３−プロパンジオール基、エチレングリコール基、またはこれらの組み合わせより選ばれることを特徴とする、請求項１に記載のコポリエステル組成物。
【請求項３】
前記芳香族ジカルボン酸基は、石油系１，３−プロパンジオールから誘導したポリ（トリメチレンテレフタレート）、生物系１，３−プロパンジオールから誘導したポリ（トリメチレンテレフタレート）、石油系１，４−ブタンジオールから誘導したポリ（ブチレンテレフタレート）、生物系１，４−ブタンジオールから誘導したポリ（ブチレンテレフタレート）、使用済みポリ（エチレンテレフタレート）から誘導したポリ（トリメチレンテレフタレート）、使用済みポリ（エチレンテレフタレート）から誘導したポリ（ブチレンテレフタレート）、未使用のポリ（エチレンテレフタレート）、リサイクルしたポリ（エチレンテレフタレート）、使用済みポリ（エチレンテレフタレート）、リサイクルしたポリ（トリメチレンテレフタレート）、テレフタル酸とエチレングリコールおよびシクロヘキサンジメタノールとから成るリサイクルしたコポリエステル、およびこれらの組み合わせより選ばれる、解重合した芳香族ポリエステル成分から誘導されることを特徴とする、請求項１に記載のコポリエステル組成物。
【請求項４】
前記芳香族ジカルボン酸基は、解重合したポリ（ブチレンテレフタレート）から誘導され、
前記芳香族ポリエステル残基は、チタン、チタン含有化合物、スズ、スズ含有化合物、エポキシ類、およびこれらの組み合わせより選ばれる、
ことを特徴とする、請求項１に記載のコポリエステル組成物。
【請求項５】
前記芳香族ジカルボン酸基は、解重合したポリ（トリメチレンテレフタレート）から誘導され、
前記芳香族ポリエステル残基は、チタン、スズ、エポキシ類、およびこれらの組み合わせより選ばれる、
ことを特徴とする、請求項１に記載のコポリエステル組成物。
【請求項６】
前記芳香族ジカルボン酸基は、解重合したポリ（エチレンテレフタレート）ホモポリマー、ポリ（エチレンテレフタレート）の共重合体、またはこれらの組み合わせから誘導され、
芳香族コポリエステル残基は、イソフタル酸基、アンチモン含有化合物、ゲルマニウム含有化合物、コバルト含有化合物、スズ含有化合物、アルミニウム、アルミニウム塩、アルカリ塩、アルカリ土類金属塩、リン含有化合物、硫黄含有化合物、ナフタレンジカルボン酸基、およびこれらの組み合わせより選ばれる、
ことを特徴とする、請求項１に記載のコポリエステル組成物。
【請求項７】
前記二価アルコール基は、エチレングリコール基と、ジエチレングリコール基、１，３−シクロヘキサンジメタノール基のシス異性体、１，４−シクロヘキサンジメタノール基のシス異性体、１，３−シクロヘキサンジメタノール基のトランス異性体、１，４−シクロヘキサンジメタノール基のトランス異性体、およびこれらの組み合わせの１つ以上とを含む混合物から選ばれることを特徴とする、前記請求項６に記載のコポリエステル組成物。
【請求項８】
前記芳香族ポリエステル残基は、イソフタル酸基を更に含むことを特徴とする、前記請求項６に記載のコポリエステル組成物。
【請求項９】
前記減色化合物は、少なくとも３個のヒドロキシル基、少なくとも１個のヒドロキシル基と２個のカルボン酸基、または少なくとも２個のヒドロキシル基と１個のカルボン酸基を持つＣ５−１２化合物であることを特徴とする、前記請求項１に記載のコポリエステル組成物。
【請求項１０】
前記減色化合物は、ソルビトール、マンニトール、キシリトール、ペンタエリトリトール、アスコルビン酸、リンゴ酸、サリチル酸メチル、およびこれらの組み合わせより選ばれることを特徴とする、前記請求項１に記載のコポリエステル組成物。
【請求項１１】
前記減色ポリオールは、ソルビトール、マンニトール、およびこれらの組み合わせより選ばれることを特徴とする、前記請求項１に記載のコポリエステル組成物。
【請求項１２】
メタクリル酸グリシジル共重合体、ビスフェノールＡエポキシ、およびこれらの組み合わせより選ばれるエポキシ化合物の残基を更に含むことを特徴とする、前記請求項１に記載のコポリエステル組成物。
【請求項１３】
−３５℃から０℃のＴｇと、９０℃から１６０℃のＴｍを持つことを特徴とする、前記請求項１１に記載のコポリエステル組成物。
【請求項１４】
生分解性組成物であって、
前記生分解組成物は、
（ｉ）組成物の総重量に対して１０超から５９．９９質量％の、前記請求項１に記載の脂肪族−芳香族コポリエステルと、
（ｉｉ）組成物の総重量に対して４０超から８９．９９質量％未満の、脂肪族ポリエステル、芳香族ポリエステル、およびこれらの組み合わせより選ばれるポリマーと、
（ｉｉｉ）組成物の総重量に対して０．０１から５質量％の、核生成剤、酸化防止剤、ＵＶ安定剤、可塑剤、エポキシ化合物、溶融強度添加剤、およびこれらの組み合わせより選ばれる添加剤と、
（ｉｖ）組成物の総重量に対して０．０１から４５質量％の、アルコール、アセタート、アルコール−アセタート共重合体、およびこれらの組み合わせより選ばれる添加剤と、
（ｖ）組成物の重量に対して０．０１から２質量％の、架橋剤、老化防止剤、劣化剤（retrogradation agents）、ブロッキング防止剤、水、臭気調整剤、およびこれらの組み合わせより選ばれる添加剤と、
の組み合わせを含むことを特徴とする生分解性組成物。
【請求項１５】
前記脂肪族ポリエステルは、ポリ乳酸、ポリ（ヒドロキシアルカノアート）、ポリ（ブチレンスクシナート）、ポリ（ブチレンアジパート）、ポリ（ブチレンスクシナートアジパート）、ポリ（カプロラクトン）、およびこれらの組み合わせより選ばれることを特徴とする、請求項１４に記載の組成物。
【請求項１６】
請求項１４の生分解性組成物を、押し出し、カレンダー処理、押出成形、ブロー成形、溶媒キャスト、または射出成形したことを特徴とする物品。
【請求項１７】
前記物品はフィルムであることを特徴とする、請求項１６に記載の物品。
【請求項１８】
前記フィルムは、前記生分解性組成物の押出成形またはカレンダー処理によって成形されることを特徴とする、請求項１７に記載のフィルム。
【請求項１９】
生分解性の脂肪族−芳香族コポリエステルを含むコポリエステル組成物であって、
前記生分解性の脂肪族−芳香族コポリエステルは、
（ａ）二価アルコールから誘導され、エチレングリコール、１，２−プロピレングリコール、１，３−プロピレングリコール、１，２−ブタンジオール、２，３−ブタンジオール、１，４−ブタンジオール、テトラメチルシクロブタンジオール、イソソルビド、１，３−シクロヘキサンジメタノール異性体、１，４−シクロヘキサンジメタノール異性体、ヘキシレングリコール、生物系ジオール、およびこれらの組み合わせより選ばれる二価アルコール基と、
（ｂ）ポリ（エチレンテレフタレート）、ポリ（ブチレンテレフタレート）、ポリ（トリメチレンテレフタレート）、およびこれらの組み合わせより選ばれる、解重合した芳香族ポリエステル成分から誘導した芳香族ジカルボン酸基と、
（ｃ）アジピン酸、アジピン酸オリゴマー、およびこれらの組み合わせより選ばれるアジピン酸基と、
（ｄ）チタン含有触媒と、
（ｅ）イソフタル酸基、アンチモン含有化合物、ゲルマニウム含有化合物、コバルト含有化合物、スズ、スズ含有化合物、チタン、アルミニウム、アルミニウム塩、アルカリ塩、アルカリ土類金属塩、リン含有化合物、硫黄含有化合物、ナフタレンジカルボン酸基、エポキシ類、およびこれらの組み合わせより選ばれる芳香族ポリエステル残基と、
（ｆ）少なくとも３個の−ＯＨ基を持つＣ５−１２化合物、およびこれらの組み合わせより選ばれる減色化合物と、を含み、
前記脂肪族−芳香族コポリエステルは、少なくとも２万ドルトンの数平均分子量と２から６未満の多分散度を持ち、
前記コポリエステルは、色度計を用いたＤ６５照明での測定で、少なくともＬ＊＝７０．０；ａ＊＝−８．０；ｂ＊＝１５．０の白色度を持ち、
前記組成物は、前記コポリエステルが形成される際の重合反応生成物を含み、前記コポリエステルは他のポリマーと結合していないことを特徴とする、コポリエステル組成物。
【請求項２０】
前記組成物は、前記減色化合物を前記コポリエステルと化合させて、混合物を得るステップと、前記混合物を冷却して前記コポリエステル組成物を得るステップと、を含む方法の生成物であり、前記コポリエステル組成物は前記コポリエステルからなるポリマーを含むことを特徴とする、請求項１９に記載のコポリエステル組成物。
【請求項２１】
前記減色化合物は、マンニトール、ソルビトール、およびこれらの組み合わせより選ばれることを特徴とする、前記請求項２０に記載のコポリエステル組成物。
【請求項２２】
前記減色化合物は、それが存在しない場合と比較して、前記コポリエステル組成物が、色度計を用いたＤ６５照明での測定で、少なくともＬ＊＝７０．０；ａ＊＝−８．０；ｂ＊＝１５．０の白色度を得る量で存在していることを特徴とする、請求項２１に記載のコポリエステル組成物。